(57)【要約】【課題】二人の作業者が、マニュアル作業にてフィルムをハンドレールに効率的に貼り着け可能にする。【解決手段】ハンドレール２１表面に対し滑動操作可能に装着される凹部１２を下面に持つ操作部材１１からなり、凹部１２を、水平下面部１３と、この水平下面部１３の左右に、ハンドレール２１の中心線に対して対称となるように連続し、互いに下方へ開く方向に傾斜する一対の傾斜面部１４、１５とから構成し、を有し、操作部材１１上面の、前記中心線に対し等距離の対称位置に、前記ハンドレール２１に貼着すべきフィルム２４を幅方向に規制しながらガイドするフィルム幅方向規制部材１８ａ〜１８ｄを突設する。【選択図】図１
0003118941.tif 000002
【実用新案登録請求の範囲】
【請求項１】
エスカレータ或いは動く歩道のハンドレールに長尺に形成された積層フイルムを貼着する積層フイルム貼着補助具であって、
表面滑動性に富んだ合成樹脂製の平板を矩形状に形成し、前記ハンドレール表面に対し滑動操作可能に装着される凹部を下面に持つ操作部材からなり、
前記凹部が、水平下面部と、この水平下面部の左右に、前記ハンドレールの中心線に対して対称となるように連続し、互いに下方へ開く方向に傾斜する一対の傾斜面部とを有し、
前記操作部材上面において前記中心線に対し対称となる等距離の位置に、前記ハンドレールに貼着すべき長尺のフィルムを幅方向に規制しながらガイドする、フィルム幅方向規制部材が該規制方向に一対で突設されてなることを特徴とするフィルム貼着補助具。
【請求項２】
前記水平下面部の左右方向幅が７０ｍｍ、前記各傾斜面部の角度が水平下面部に対して１１３°、前記各フィルム幅方向規制部材間の間隔が１２５ｍｍであることを特徴とする請求項１に記載のフィルム貼着補助具。
【請求項３】
前記操作部材が、潤滑性の合成樹脂からなることを特徴とする請求項１に記載のフィルム貼着補助具。
【考案の詳細な説明】
【技術分野】
【０００１】
本考案は、エスカレータ等の乗客搬送装置のハンドレールに対し、長尺のフィルムを貼着するのに利用するフィルム貼着補助具に関する。
【背景技術】
【０００２】
デパートや駅などには、人や貨物を階上に上げたり、階下へ下ろしたりするため、エスカレータが設置されている。また、空港ビルなどの長距離の歩道には、荷物の携行負担を軽減するために、移動式歩道が設けられている。
【０００３】
これらのエスカレータや移動式歩道は、一般に、同期速度で移行する無端状に連結されたステップと無端状のハンドレールを持つ。このうち、無端状のハンドレールは、変形可能とする必要性や、人の歩行を補助するのに歩行者が手を掛け易くする必要性から、所定の形状、サイズおよび材質が用いられている。材質は、例えばゴムや可撓性の合成樹脂などである。
【０００４】
一方、このハンドレールの材質は、前記のようにゴムや比較的軟質の合成樹脂であるため、常時外気に晒されて汚染、汚損しやすく、また傷が付き易い。従って、早期に外観が悪くなったり、不衛生になったりする。このため、このハンドレールは、定期的に洗浄または交換が必要になり、そのための作業が大掛かりになるほか、不経済になっている。
【０００５】
これに対し、前記ハンドレールの汚染、汚損や損傷に対処するために、ハンドレールの表面に張替えが可能なハンドレール保護用のフィルムが提案され、使用されている。このフィルムは片面に貼着材が塗布されており、ハンドレール表面に対し頻繁に張替えができる。また、衛生的でコストが安いため、今日では広く用いられている。
【０００６】
ところで、このフィルムをハンドレールに対し貼着するのに、従来から、ハンドレールに対するフィルムの貼り付けを一部自動化したフィルム貼り付け装置が提案されている（例えば、特許文献１参照）。
【０００７】
このフィルム貼り付け装置は、接着材を塗布したフィルム を移動ハンドレールに被着させる装置であって、装置を手すりに取り付ける取付け手段と、フィルム のロールを取り付けるスピンドル手段と、圧力をフィルム に加えてフィルムがハンドレールに付着するようにする加圧手段とを有する。使用にあたり、装置を越えてハンドレール を駆動することができ、圧力を加える手段がフィルム をハンドレール に付着させた状態で、フィルム をロールから巻き出す。
【０００８】
また、二人の作業者によるマニュアル操作によって、フィルムの貼着を行う方法も、現在も広く採用、実施されている。このマニュアル作業によるフィルムの貼着作業では、一人の貼り手から略５０センチ離れて、もう一人の持ち手がフィルムを引っ張る。また、この引っ張り状態にて、貼り手がフィルムをハンドレールに押し当るようにして貼り付けている。そしてこの引っ張り、貼り付け作業を繰返し行う。
【特許文献１】特表２００２−５３７２００号
【考案の開示】
【考案が解決しようとする課題】
【０００９】
しかしながら、従来のハンドレールに対する前記フィルム貼り付け装置にあっては、フィルムの自動貼着のために大掛かりな装置と作業が必要になり、作業コストが高くなるほか、その貼着作業に熟練を要するなどの不都合があった。
また、二人の作業者によるマニュアル作業では、一人の貼り手がフィルムを引っ張り、もう一人の貼り手がフィルムをハンドレールに貼り付けるという作業を繰り返すため、作業効率が極めて悪い。
また、このマニュアル作業では、フィルムの全幅に対して均等に引っ張り力を加えないと、フィルムが歪んで皺を生じたり、ハンドレールとの間に気泡が残ったりするなどして、仕上がりの外観が悪くなるという問題がある。
【００１０】
本考案は、このような従来の問題を解決するものであり、二人の作業者がマニュアル作業にてフィルムをハンドレールに効率的に貼り着けることができ、この貼着作業をフィルムに歪みを生じさせたり、ハンドレールとの間に気泡を残留させたりせずに実施可能にするフィルム貼着補助具を提供することを目的とする。
【課題を解決するための手段】
【００１１】
前記目的達成のために、請求項１のフィルム貼着補助具は、  エスカレータ或いは動く歩道のハンドレールに長尺に形成された積層フイルムを貼着する積層フイルム貼着補助具であって、
表面滑動性に富んだ合成樹脂製の平板を矩形状に形成し、前記ハンドレール表面に対し滑動操作可能に装着される凹部を下面に持つ操作部材からなり、
前記凹部が、水平下面部と、この水平下面部の左右に、前記ハンドレールの中心線に対して対称となるように連続し、互いに下方へ開く方向に傾斜する一対の傾斜面部とを有し、
前記操作部材上面において前記中心線に対し対称となる等距離の位置に、前記ハンドレールに貼着すべき長尺のフィルムを幅方向に規制しながらガイドする、フィルム幅方向規制部材が該規制方向に一対で突設されてなることを特徴とする。
【００１２】
この構成により、ハンドレールに操作部材の凹部を装着し、ハンドレール上に一端を固定したフィルムを、その操作部材上のフィルム幅方向規制部材間に介在させながら、固定側とは反対の位置で引っ張ることにより、フィルムをハンドレール上の正規の位置に対向可能に保持できる。また、この正規の位置で、フィルムから剥離紙を剥離しながらフィルムをハンドレール上に押し付けることで、このフィルムを、このフィルムに塗布された貼着材により、ハンドレール上の正規の位置に速やかに、かつ皺を生じることなく、またハンドレールとの間に気泡を入れないように、貼着することができる。
【００１３】
また、本考案のフィルム貼着補助具は、前記水平下面部の左右方向幅が７０ミリ、前記各傾斜面部の角度が水平下面部に対して１１３°、前記各フィルム幅方向規制部材間の間隔が１２５ミリであることを特徴とする。
【００１４】
この構成により、現在使用されている全てのエスカレータのハンドレールに対し、前記操作部材を装着でき、この操作部材をハンドレール表面に対し略水平になるように、凹部をハンドレールに装着したとき、フィルムとハンドレールの中心線を容易に合致させることができる。
【００１５】
また、本考案のフィルム貼着補助具は、前記操作部材を潤滑性の合成樹脂から構成したことを特徴とする。
【００１６】
この構成により、前記凹部とハンドレールとの接触面の摩擦係数を小さくすることができ、操作部材を滑らかにハンドレール上に移動させることができる。これにより、ハンドレールに対するフィルムの貼着位置の位置決め作業を速やかに行うことができる。
【考案の効果】
【００１７】
本考案は、操作部材下面の凹部を、水平下面部と、互いに下方へ開くように傾斜する一対の傾斜面部とから構成し、操作部材上面に、長尺のフィルムを幅方向に規制しながらガイドするフィルム幅方向規制部材を突設したことにより、フィルムをハンドレールに貼着する際に、フィルムをハンドレール上の正規の位置に保持できる。また、この正規の位置で、フィルムから剥離紙を剥離しながら、フィルムをハンドレール上に押し付けることで、このフィルムをハンドレール上の正規の位置に速やかに、かつ皺を生じることなく、またハンドレールとの間に気泡が入らないように貼着することができる。
【考案を実施するための最良の形態】
【００１８】
以下、本考案の実施形態によるフィルム貼着補助具を、図面を参照して説明する。
図１、図２、図３および図４は、本実施形態によるフィルム貼着補助具を示す正面図、平面図、右側面図および下面図である。
同図において、このフィルム貼着補助具Ａは、全体として平板状の操作部材１１からなる。この操作部材１１は潤滑性の合成樹脂、例えばアセタール樹脂などにより、一体形成されている。
【００１９】
前記操作部材１１は、前後に貫通する凹部１２が下面に設けられている。この凹部１２は、水平下面部１３と、この水平下面部１３の左右に、下方に向って拡開するように連続する一対の傾斜面部１４、１５からなる。
【００２０】
また、この操作部材１１の各部サイズは、例えば、平面視で長辺が１７０ｍｍ、短辺が１３５ｍｍであり、前記水平下面部１３の幅が７０ｍｍ、傾斜面部１４、１５の水平下面部１３に対する傾斜角度が１１３°、凹部１２の深さが２０ｍｍである。また、この凹部１２は、前記傾斜面部１４、１５が、鎖線で示すハンドレール２１両側の側部円弧面２２、２３に対し接触可能なサイズとされている。
【００２１】
このハンドレール２１の側部円弧面２２、２３と傾斜面部１４、１５との接触状態においては、ハンドレール２１の上面(水平面）と操作部材１１の水平下面部１３との間に隙間Ｇが残される。
従って、前記凹部１２の形成によって、操作部材１１の左右両端部の下面には、例えば三角断面状の突状１６、１７が設けられた形態となる。
【００２２】
さらに、操作部材１１上面の４隅には、同一形状、同一サイズのフィルム幅方向規制部材１８ａ〜１８ｄが一体に突設されている。これらのフィルム幅方向規制部材１８ａ、１８ｄと１８ｃ、１８ｄとの間隔は、前記フィルムの幅サイズより僅か広い寸法とされている。
【００２３】
従って、操作部材１１は、これらのフィルム幅方向規制部材１８ａ、１８ｄと１８ｃ、１８ｄとの間に、フィルム２４を摺動可能に案内することができる。なお、この案内時には、フィルム２４の下面に貼着材を介して剥離紙がまだ貼り付けられた状態にある。
【００２４】
次に、前記構成になるフィルム貼着補助具を用いて、フィルム２４をハンドレール２１に貼着する方法を説明する。
まず、作業者二人が一組となって、停止中のエスカレータのハンドレール２１上に長尺のフィルム２４を戴置(仮置き）する。このときは、フィルム２４から剥離紙がまだ剥離されていない状態である。
【００２５】
ここで作業者の一人である貼り手は、フィルム２４端部の所定長さだけ剥離紙を剥離し、この部分に露出した貼着材を介してフィルム２４をハンドレール２１表面に貼り付ける。この貼着作業は、ハンドレール２１の中心線にフィルム２４の中心線を目測にて合わせ、慎重に行う。
【００２６】
次に、ハンドレール２１上に操作部材１１を載せる。このとき、ハンドレール２１の上面に対し、操作部材１１の水平上面を平行に操作する。そして、ハンドレール２１上面を被うように、前記操作部材１１上のフィルム幅方向規制部材１８ａ、１８ｂおよび１８ｃ、１８ｄ間に前記フィルム２４をガイドする。
【００２７】
このフィルム２４のガイド状態において、フィルム２４の持ち手は、フィルム２４の所定部位を引っ張りながら、操作部材１１を、例えば５ｍ程度、ハンドレール２１に沿って移動操作する。
この移動操作は、潤滑性の操作部材１１の傾斜面部１４、１５がハンドレール２１の円弧面に沿って円滑に摺動するため、軽快かつ速やかに実施できる。
【００２８】
この移動を、例えば５ｍ進めたところで、張り手はフィルム２４から略５ｍ分だけ剥離紙をゆっくり剥がし、フィルム２４を貼着材を介してハンドレール２１上に、操作部材１１側に向って順次貼り込んでいく。この貼り込みでは、ハンドレール２１に対する操作部材１１の凹部１２の装着によって、ハンドレール２１と、フィルタ幅方向規制部材１８ａ〜１８ｄにより案内されるフィルムとの中心線が合致する。
【００２９】
このため、フィルム２４の貼り付け位置に偏りを生じることはない。また、皺などを作らず、速やかにかつ左右方向にバランスした長さにて、フィルム２４をハンドレール表面に貼り付けることができる。
このため、これまでのように、フィルム２４とハンドレール２１との位置合わせのために、フィルム２４を張替え直したり、ハンドレール２１との間に気泡を生じさせたり、汚れが付着したりすることがなくなる。
【００３０】
このように、本実施形態では、ハンドレール２１の表面に滑動操作可能に装着される凹部１２を下面に持つ操作部材１１からなり、凹部１２が、水平下面部１３と、この水平下面部１３の左右に、前記ハンドレール２１の中心線に対して対称となるように連続し、互いに下方へ開く方向に傾斜する一対の傾斜面部１４、１５とを設け、操作部材１１上面において前記中心線に対し対称となる等距離の位置に、ハンドレール２１に貼着すべき長尺のフィルム２４を幅方向に規制しながらガイドするフィルム幅方向規制部材を突設したことにより、フィルム２４をハンドレール２１上の正規の位置に保持できる。
【００３１】
また、この正規の位置で、フィルム２４から剥離紙を剥離しながら、貼着材を介しフィルム２４をハンドレール２１上に押し付けることで、このフィルム２４をハンドレール２１上の正規の位置に速やかに、かつ皺を生じることなく、またハンドレール２１との間に気泡が入らないように、貼着することができる。
【産業上の利用可能性】
【００３２】
本考案は、二人の作業者がマニュアル作業にてフィルムをハンドレールに効率的に貼り着けることができ、この貼着作業をフィルムに歪みを生じさせたり、ハンドレールとの間に気泡を残留させたりせずに実施できるという効果を有し、エスカレータ等の乗客搬送装置の手摺りとして用いられるハンドレールに対し、長尺のフィルムを貼着するのに利用するフィルム貼着補助具等に有用である。
【図面の簡単な説明】
【００３３】
【図１】本考案の実施形態によるフィルム貼着補助具を示す正面図である。
【図２】図１に示すフィルム貼着補助具の平面図である。
【図３】図１に示すフィルム貼着補助具の右側面図である。
【図４】図１に示すフィルム貼着補助具の下面図である。
【図５】本考案における操作部材のハンドレールに対する装着構成を示す斜視図である。
【符号の説明】
【００３４】
Ａ  フィルム貼着補助具
１１  操作部材
１２  凹部
１３  水平下面部
１４、１５  傾斜面部
１８ａ〜１８ｄ  フィルム幅方向規制部材
１９  上面
【図１】
0003118941.tif 000003
【図２】
0003118941.tif 000004
【図３】
0003118941.tif 000005
【図４】
0003118941.tif 000006
【図５】
0003118941.tif 000007